(57)【要約】      （修正有）【課題】外側から内部の紙幣が視認でき、紙幣の出し入れが容易なうえに、紙幣が殆ど横ずれせずに綺麗に収納することができる財布を提供する。【解決手段】中間部において幅方向に折り畳み可能に形成された略方形状の面状の基材部１１と、基材部１１の内側面の折り畳み部分１２により分割形成される一方の折り畳み片部１３の長さ方向の両端部に回動可能にそれぞれ設けられた紙幣押さえ部１４，１５とを備え、紙幣を、基材部１１と紙幣押さえ部１４，１５との間に収納可能とされた構成とされている。【選択図】図２
0003212531.tif 000002
【実用新案登録請求の範囲】
【請求項１】
中間部において幅方向に折り畳み可能に形成された略方形状の面状の基材部と、前記基材部の内側面の折り畳み部分により分割形成される一方の折り畳み片部の長さ方向の両端部に回動可能にそれぞれ設けられた紙幣押さえ部とを備え、紙幣を、前記基材部と前記紙幣押さえ部との間に収納可能とされていることを特徴とする財布。
【請求項２】
前記基材部は略長方形状とされ、長さ方向の中間部において折り畳み可能に形成されており、２つ折りにした紙幣を、前記基材部と前記紙幣押さえ部との間に収納可能とされていることを特徴とする請求項１に記載の財布。
【請求項３】
前記基材部は略正方形状とされ、幅方向の中間部において折り畳み可能に形成されており、紙幣を、長さ方向を横向きにして、前記基材部と前記紙幣押さえ部との間に収納可能とされていることを特徴とする請求項１に記載の財布。
【請求項４】
前記一対の紙幣押さえ部間の中間で前記折り畳み部分の位置に、紙幣を下側から受ける受部が設けられていることを特徴とする請求項１乃至３のいずれか１項に記載の財布。
【請求項５】
前記紙幣押さえ部の一方が、他方の前記紙幣押さえ部より短く形成されていることを特徴とする請求項１乃至４のいずれか１項に記載の財布。
【請求項６】
前記基材部は、カード入部を備えていることを特徴とする請求項１乃至５のいずれか１項に記載の財布。
【請求項７】
前記基材部は、小銭入部を備えていることを特徴とする請求項１乃至６のいずれか１項に記載の財布。
【請求項８】
前記基材部の開閉端部間には、前記開閉端部よりも細幅の着脱可能な留め手段が設けられていることを特徴とする請求項１乃至７のいずれか１項に記載の財布。
【考案の詳細な説明】
【技術分野】
【０００１】
本考案は、財布の改良に関するものである。
【背景技術】
【０００２】
従来、特許文献１に開示されているように、内部に紙幣を収納した際に、外側から紙幣が視認でき、紙幣の出し入れが容易な財布がある。
【０００３】
この特許文献１に開示された財布は、その性能の良さから、多くの使用者に好評であった。
【０００４】
しかしながら、さらに、紙幣を内部に収納した際に、紙幣が横ずれせずに、綺麗に収納したいとの要請が一部の人々の間からあった。
【先行技術文献】
【特許文献】
【０００５】
【特許文献１】実用新案登録第３１８１９１３号公報
【考案の概要】
【考案が解決しようとする課題】
【０００６】
本考案は、以上のような従来の要請に応えるためのものであって、その課題は、外側から内部の紙幣が視認でき、紙幣の出し入れが容易なうえに、紙幣が殆ど横ずれせずに綺麗に収納することができる財布を提供することにある。
【課題を解決するための手段】
【０００７】
前記課題を解決するために、請求項１記載の考案にあっては、中間部において幅方向に折り畳み可能に形成された略方形状の面状の基材部と、前記基材部の内側面の折り畳み部分により分割形成される一方の折り畳み片部の長さ方向の両端部に回動可能にそれぞれ設けられた紙幣押さえ部とを備え、紙幣を、前記基材部と前記紙幣押さえ部との間に収納可能とされていることを特徴とする。
従って、紙幣を前記財布の内部に収納した際は、紙幣は、前記基材部の内側面の前記折り畳み部分だけでなく、前記一対の紙幣押さえ部でも保持することができる。
【０００８】
請求項２記載の考案にあっては、前記基材部は略長方形状とされ、長さ方向の中間部において折り畳み可能に形成されており、２つ折りにした紙幣を、前記基材部と前記紙幣押さえ部との間に収納可能とされていることを特徴とする。
従って、前記財布は、紙幣を２つ折りに収納する分、コンパクトにすることができる。
【０００９】
請求項３記載の考案にあっては、前記基材部は略正方形状とされ、幅方向の中間部において折り畳み可能に形成されており、紙幣を、長さ方向を横向きにして、前記基材部と前記紙幣押さえ部との間に収納可能とされていることを特徴とする。
従って、前記財布は、紙幣を、長さ方向を横向きにして、前記基材部と前記紙幣押さえ部との間に収納可能とされている分、より多くの紙幣を収納することができる。
【００１０】
請求項４記載の考案にあっては、前記一対の紙幣押さえ部間の中間で前記折り畳み部分の位置に、紙幣を下側から受ける受部が設けられていることを特徴とする。
従って、紙幣を取り出す際、前記財布の前記基材部を開き、前記紙幣押さえ部を開いた状態としても、前記受部で紙幣を下側から保持することができる。
【００１１】
請求項５記載の考案にあっては、前記紙幣押さえ部の一方が、他方の前記紙幣押さえ部より短く形成されていることを特徴とする。
従って、紙幣の出し入れの際、短い方の前記紙幣押さえ部を片方の手の親指などを使って容易に開閉することができる。
【００１２】
請求項６記載の考案にあっては、前記基材部は、カード入部を備えていることを特徴とする。
従って、前記財布は、前記カード入部に、クレジットカードをはじめ、様々なカードを収納することができる。
【００１３】
請求項７記載の考案にあっては、前記基材部は、小銭入部を備えていることを特徴とする。
従って、前記財布は、前記小銭入部に、硬貨も収納することができる。
【００１４】
請求項８記載の考案にあっては、前記基材部の開閉端部間には、前記開閉端部よりも細幅の着脱可能な留め手段が設けられていることを特徴とする。
従って、前記財布は、前記留め手段により、前記基材部が不用意に開いてしまうのを防止することができるうえに、前記留め手段は、前記開閉端部よりも細幅のため、前記財布内の紙幣の視認を阻害することがない。
【考案の効果】
【００１５】
請求項１記載の財布にあっては、中間部において幅方向に折り畳み可能に形成された略方形状の面状の基材部と、前記基材部の内側面の折り畳み部分により分割形成される一方の折り畳み片部の長さ方向の両端部に回動可能にそれぞれ設けられた紙幣押さえ部とを備え、紙幣を、前記基材部と前記紙幣押さえ部との間に収納可能とされた構成とされている。
従って、紙幣を前記財布の内部に収納した際は、紙幣は、前記基材部の内側面の前記折り畳み部分だけでなく、前記一対の紙幣押さえ部でも保持することができる。
その結果、紙幣を前記財布の内部に収納した際は、紙幣は、前記基材部の内側面の前記折り畳み部分だけでなく、前記一対の紙幣押さえ部でも保持することができるので、外側から内部の紙幣が視認でき、紙幣の出し入れが容易なうえに、紙幣が殆ど横ずれせずに綺麗に収納することができる。
【００１６】
請求項２記載の財布にあっては、前記基材部は略長方形状とされ、長さ方向の中間部において折り畳み可能に形成されており、２つ折りにした紙幣を、前記基材部と前記紙幣押さえ部との間に収納可能とされている。
従って、前記財布は、紙幣を２つ折りに収納する分、コンパクトにすることができる。
その結果、前記財布は、紙幣を２つ折りに収納する分、コンパクトにすることができるので、ポケットなどに入れて、比較的少量の紙幣を持ち歩くのに便利である。
【００１７】
請求項３記載の財布にあっては、前記基材部は略正方形状とされ、幅方向の中間部において折り畳み可能に形成されており、紙幣を、長さ方向を横向きにして、前記基材部と前記紙幣押さえ部との間に収納可能とされている。
従って、前記財布は、紙幣を、長さ方向を横向きにして、前記基材部と前記紙幣押さえ部との間に収納可能とされている分、より多くの紙幣を収納することができる。
その結果、前記財布は、紙幣を、長さ方向を横向きにして、前記基材部と前記紙幣押さえ部との間に収納可能とされている分、より多くの紙幣を収納することができるので、ポケットなどに入れて、より多くの紙幣を持ち歩くのに便利である。
【００１８】
請求項４記載の財布にあっては、前記一対の紙幣押さえ部間の中間で前記折り畳み部分の位置に、紙幣を下側から受ける受部が設けられている。
従って、紙幣を取り出す際、前記財布の前記基材部を開き、前記紙幣押さえ部を開いた状態としても、前記受部で紙幣を下側から保持することができる。
その結果、紙幣を取り出す際、前記財布の前記基材部を開き、前記紙幣押さえ部を開いた状態としても、前記受部で紙幣を下側から保持することができるので、紙幣が風で飛ばされたり、紙幣が不用意に落下してしまったりするおそれを低減することができる。
【００１９】
請求項５記載の財布にあっては、前記紙幣押さえ部の一方が、他方の前記紙幣押さえ部より短く形成されている。
従って、紙幣の出し入れの際、短い方の前記紙幣押さえ部を片方の手の親指などを使って容易に開閉することができる。
その結果、紙幣の出し入れの際、短い方の前記紙幣押さえ部を片方の手の親指などを使って容易に開閉することができるので、紙幣の出し入れをより容易に行うことができる。
【００２０】
請求項６記載の財布にあっては、前記基材部は、カード入部を備えている。
従って、前記財布は、前記カード入部に、クレジットカードをはじめ、様々なカードを収納することができる。
その結果、前記財布は、前記カード入部に、クレジットカードをはじめ、様々なカードを収納することができるので、カード社会になっている昨今では、非常に便利である。
【００２１】
請求項７記載の財布にあっては、前記基材部は、小銭入部を備えている。
従って、前記財布は、前記小銭入部に、硬貨も収納することができる。
その結果、前記財布は、前記小銭入部に、硬貨も収納することができるので、例えば、自動販売機で飲料品を購入する際や、紙幣で買い物をした際のおつりを入れることなどに便利である。
【００２２】
請求項８記載の財布にあっては、前記基材部の開閉端部間には、前記開閉端部よりも細幅の着脱可能な留め手段が設けられている。
従って、前記財布は、前記留め手段により、前記基材部が不用意に開いてしまうのを防止することができるうえに、前記留め手段は、前記開閉端部よりも細幅のため、前記財布内の紙幣の視認を阻害することがない。
その結果、前記財布は、前記留め手段により、前記基材部が不用意に開いてしまうのを防止することができるうえに、前記留め手段は、前記開閉端部よりも細幅のため、前記財布内の紙幣の視認を阻害することがないので、例えば、前記財布を不用意に落としてしまった際などにも、内部の紙幣などがばらけるおそれを低減することができるうえに、前記留め手段を留めた状態でも、前記財布内部の紙幣の有無や量を確認することができ、紙幣が無い場合や少ない場合は、補充することができる。
【図面の簡単な説明】
【００２３】
【図１】図１は、本考案の第１実施形態の財布の概略構成を示す正面図である。
【図２】図２は、本考案の第１実施形態の財布の開いた状態を示す図である。
【図３】図３は、本考案の第１実施形態の財布の概略構成を示す背面図である。
【図４】図４は、本考案の第２実施形態の財布の概略構成を示す正面図である。
【図５】図５は、本考案の第２実施形態の財布の開いた状態を示す図である。
【図６】図６は、本考案の第２実施形態の財布の概略構成を示す背面図である。
【考案を実施するための形態】
【００２４】
以下、本考案に係る財布を、第１実施形態及び第２実施形態に基づき、図面を参照して説明する。
【００２５】
［第１実施形態］
先ず、第１実施形態の構成について説明する。
図１〜図３は、本考案の第１実施形態の財布１０の概略構成を示している。
【００２６】
この第１実施形態の財布１０は、図１〜図３に示したように、中間部において幅方向に折り畳み可能に形成された略方形状の面状の基材部１１と、基材部１１の内側面の折り畳み部分１２により分割形成される一方の折り畳み片部１３の長さ方向の両端部に回動可能にそれぞれ設けられた紙幣押さえ部１４，１５とを備えている。
【００２７】
より具体的には、基材部１１は略長方形状とされ、長さ方向の中間部において折り畳み可能に形成されている。
【００２８】
そして、図２及び図３に示したように、２つ折りにした紙幣１６を、基材部１１と紙幣押さえ部１４，１５との間に収納可能とされており、図１に示したように、正面側となる他方の折り畳み片部１７が、背面側となる一方の折り畳み片部１３の長さよりも若干短くされている。
【００２９】
さらに、紙幣押さえ部１４，１５のうち一方、ここでは右側の紙幣押さえ部１５が、左側の紙幣押さえ部１４より短く形成されている。
【００３０】
また、図２に示したように、基材部１１には、その内側に、複数のカード入部１８，・・・を備えている。
【００３１】
さらに、図１に示したように、基材部１１は、折り畳んだ状態の正面側、つまり、折り畳み片部１７の外側にも、カード入部１９，１９を備えている。
【００３２】
また、図３に示したように、基材部１１は、折り畳んだ状態の正面側、つまり、折り畳み片部１３の外側には、折り畳み片部１３よりも小さい略長方形状の外側材２０により、小銭入部２１が形成されている。
【００３３】
そして、小銭入部２１の入れ口となる開口部２２には、スライドファスナー２３がファスナー取付材３２を介して設けられており、スライドファスナー２３のスライダー２４の引手２５により、開口部２２は、開閉可能とされている。
【００３４】
なお、外側材２０の閉塞側には、マチ３１が設けられており、より多くの硬貨を収納できるようになっている。
【００３５】
さらに、基材部１１の開閉端部間には、開閉端部間よりも細幅の着脱可能な留め手段としての帯状紐２６が設けられている。
【００３６】
より具体的には、図３に示したように、帯状紐２６の後端部が背面側の折り畳み片部１３の外側に止着され、さらに、図２に示したように、帯状紐２６の前端部にはホックの雌部２７が設けられている。
そして、正面側の折り畳み片部１７の外側面には、ホックの雄部２８が設けられ、これらホックの雌部２７と雄部２８の嵌め込みと取り外しとにより、留め手段としての帯状紐２６は、着脱可能とされている。
【００３７】
次に、この第１実施形態の作用効果について説明する。
【００３８】
この本考案の第１実施形態の財布１０は、図１〜図３に示したように、中間部において幅方向に折り畳み可能に形成された略方形状の面状の基材部１１と、基材部１１の内側面の折り畳み部分１２により分割形成される一方の折り畳み片部１３の長さ方向の両端部に回動可能にそれぞれ設けられた紙幣押さえ部１４，１５とを備え、紙幣１６を、基材部１１と紙幣押さえ部１４，１５との間に収納可能とされた構成とされている。
【００３９】
従って、紙幣１６を財布１０の内部に収納した際は、紙幣１６は、基材部１１の内側面の折り畳み部分１２だけでなく、一対の紙幣押さえ部１４，１５でも保持することができる。
【００４０】
その結果、紙幣１６を財布１０の内部に収納した際は、紙幣１６は、基材部１１の内側面の折り畳み部分１２だけでなく、一対の紙幣押さえ部１４，１５でも保持することができるので、外側から内部の紙幣１６が視認でき、紙幣１６の出し入れが容易なうえに、紙幣１６が殆ど横ずれせずに綺麗に収納することができる。
【００４１】
より具体的には、財布１０は、基材部１１は略長方形状とされ、長さ方向の中間部において折り畳み可能に形成されており、２つ折りにした紙幣１６を、基材部１１と紙幣押さえ部１４，１５との間に収納可能とされている。
【００４２】
従って、財布１０は、紙幣１６を２つ折りに収納する分、コンパクトにすることができる。
【００４３】
その結果、財布１０は、紙幣１６を２つ折りに収納する分、コンパクトにすることができるので、ポケットなどに入れて、比較的少量の紙幣１６を持ち歩くのに便利である。
【００４４】
さらに、正面側となる他方の折り畳み片部１７が、背面側となる一方の折り畳み片部１３の長さよりも若干短くされているので、紙幣１６をより視認し易くなっている。
【００４５】
ここで、紙幣押さえ部１４，１５のうち、一方の紙幣押さえ部１５が、他方の紙幣押さえ部１４より短く形成されている。
【００４６】
従って、紙幣１６の出し入れの際、短い方の紙幣押さえ部１５を片方の手の親指などを使って容易に開閉することができる。
【００４７】
その結果、紙幣１６の出し入れの際、短い方の紙幣押さえ部１５を片方の手の親指などを使って容易に開閉することができるので、紙幣１６の出し入れをより容易に行うことができる。
【００４８】
また、基材部１１は、カード入部１８，・・・，１９，１９を備えている。
【００４９】
従って、財布１０は、カード入部１８，・・・，１９，１９に、クレジットカードをはじめ、様々なカードを収納することができる。
【００５０】
その結果、財布１０は、カード入部１８，・・・，１９，１９に、クレジットカードをはじめ、様々なカードを収納することができるので、カード社会になっている昨今では、非常に便利である。
【００５１】
例えば、財布１０の外側のカード入部１９，１９には、頻繁に用いる定期券やよく通っている店のポイントカードなどを入れておくとよい。
また、財布１０の内側の紙幣押さえ部１４，１５の後側のカード入部１８，１８には、クレジットカードや免許証などを入れておくとよい。
さらに、財布１０の内側の紙幣押さえ部１４，１５の前側のカード入部１８，１８には、保険証やよく通う病院の診察券などを入れておくとよい。
【００５２】
また、基材部１１は、小銭入部２１を備えている。
【００５３】
従って、財布１０は、小銭入部２１に、硬貨も収納することができる。
【００５４】
その結果、財布１０は、小銭入部２１に、硬貨も収納することができるので、例えば、自動販売機で飲料品を購入する際や、紙幣１６で買い物をした際のおつりを入れることなどに便利である。
【００５５】
さらに、基材部１１の開閉端部間には、開閉端部よりも細幅の着脱可能な留め手段としての帯状紐２６が設けられている。
【００５６】
従って、財布１０は、留め手段としての帯状紐２６により、基材部１１が不用意に開いてしまうのを防止することができるうえに、留め手段としての帯状紐２６は、開閉端部よりも細幅のため、財布１０内の紙幣１６の視認を阻害することがない。
【００５７】
その結果、財布１０は、留め手段としての帯状紐２６により、基材部１１が不用意に開いてしまうのを防止することができるうえに、留め手段としての帯状紐２６は、開閉端部よりも細幅のため、財布１０内の紙幣１６の視認を阻害することがないので、例えば、財布１０を不用意に落としてしまった際などにも、内部の紙幣１６などがばらけるおそれを低減することができるうえに、留め手段としての帯状紐２６を留めた状態でも、財布１０内部の紙幣１６の有無や量を確認することができ、紙幣１６が無い場合や少ない場合は、補充することができる。
【００５８】
すなわち、この第１実施形態の財布１０は、特に、クレジットカードを主として用い、現金を補助的に用いる使用者にとって非常に便利な財布である。
【００５９】
［第２実施形態］
次に、第２実施形態について説明する。
【００６０】
なお、第１実施形態で説明した内容と同一乃至均等な部分の説明については同一符号を付して説明する。
【００６１】
図４〜図６は、本考案の第２実施形態の財布３０の概略構成を示している。
【００６２】
この第２実施形態の財布３０では、図４〜図６に示したように、基材部１１は略正方形状とされ、幅方向の中間部において折り畳み可能に形成されており、紙幣１６を、長さ方向を横向きにして、基材部１１と紙幣押さえ部１４，１５との間に収納可能とされている。
【００６３】
従って、財布３０は、紙幣１６を、長さ方向を横向きにして、基材部１１と紙幣押さえ部１４，１５との間に収納可能とされている分、より多くの紙幣１６を収納することができる。
【００６４】
その結果、財布３０は、紙幣１６を、長さ方向を横向きにして、基材部１１と紙幣押さえ部１４，１５との間に収納可能とされている分、より多くの紙幣１６を収納することができるので、ポケットなどに入れて、より多くの紙幣を持ち歩くのに便利である。
【００６５】
また、一対の紙幣押さえ部１４，１５間の中間で折り畳み部分１２の位置に、紙幣１６を下側から受ける受部２９が設けられている。
【００６６】
従って、紙幣１６を取り出す際、財布３０の基材部１１を開き、紙幣押さえ部１４，１５を開いた状態としても、受部２９で紙幣１６を下側から保持することができる。
【００６７】
その結果、紙幣１６を取り出す際、財布３０の基材部１１を開き、紙幣押さえ部１４，１５を開いた状態としても、受部２９で紙幣１６を下側から保持することができるので、紙幣１６が風で飛ばされたり、紙幣１６が不用意に落下してしまったりするおそれを低減することができる。
【００６８】
さらに、図５に示したように、隣り合うカード入部１８，１８の中間部には、マチ３３がそれぞれ設けられている。
【００６９】
従って、マチ３３によって、隣り合うカード入部１８，１８それぞれの収納する幅を広げることができる。
【００７０】
その結果、マチ３３によって、隣り合うカード入部１８，１８それぞれの収納する幅を広げることができるので、隣り合うカード入部１８，１８の間の幅が狭くても、隣り合うカード入部１８，１８の列に、２枚のカードをそれぞれ収納することができる。
【００７１】
すなわち、この第２実施形態の財布３０は、特に、第１実施形態の財布１０よりも、より多くの現金を補助的に用いる使用者にとって非常に便利な財布である。
【００７２】
なお、他の構成及び作用効果については、第１実施形態と略同様であるので説明を省略する。
【００７３】
以上、本考案に係る財布の第１実施形態及び第２実施形態について図面を参照して詳述してきたが、具体的な構成は、これら第１実施形態及び第２実施形態に限らず、本考案の要旨を逸脱しない程度の設計的変更は、本考案に含まれる。
【００７４】
例えば、上記した第１実施形態及び第２実施形態では、通常のスライダー２４を用いたが、これに限定されず、特許第５３８７９０７号公報に開示されたような薄型のスライダーを用いてもよい。こうした薄型のスライダーを用いた場合は、厚み方向の凹凸を殆ど無くすことができ、使用者は、財布１０，３０を胸のポケットなどに入れた際にも押圧されて不快に感じることがない。
【産業上の利用可能性】
【００７５】
本考案に係る財布は、外側から内部の紙幣が視認でき、紙幣の出し入れが容易なうえに、紙幣が殆ど横ずれせずに綺麗に収納することができる財布として、男女を問わず広く用いることができ、産業上の利用可能性を有している。
【符号の説明】
【００７６】
１０    財布
１１    基材部
１２    折り畳み部分
１３    折り畳み片部
１４    紙幣押さえ部
１５    紙幣押さえ部
１６    紙幣
１７    折り畳み片部
１８    カード入部
１９    カード入部
２０    外側材
２１    小銭入部
２２    開口部
２３    スライドファスナー
２４    スライダー
２５    引手
２６    帯状紐（留め手段）
２７    ホックの雌部
２８    ホックの雄部
２９    受部
３０    財布
３１    マチ
３２    ファスナー取付材
３３    マチ
【図１】
0003212531.tif 000003
【図２】
0003212531.tif 000004
【図３】
0003212531.tif 000005
【図４】
0003212531.tif 000006
【図５】
0003212531.tif 000007
【図６】
0003212531.tif 000008